(57)【要約】【課題】  専用のドライバビット（１０、１１）以外のドライバビット（１０、１１）も使用可能な締結工具（１）を提供すること。【解決手段】  スピンドル（２）先端に、先端工具を取付けし、ねじの締付け及び緩めを行う電動工具において、前記先端工具は複数の保持用溝（１０ａ、１１ａ）位置を有し、前記スピンドル（２）は前記保持用溝（１０ａ、１１ａ）位置に対応する位置に前記先端工具と直交する段付縦穴（２ａ、２ｂ）を有し、該段付縦穴（２ａ、２ｂ）にスチールボール（３ａ、３ｂ）を配設すると共に、該スチールボール（３ａ、３ｂ）を前記保持用溝（１０ａ、１１ａ）に当接させるリング（４ａ、４ｂ）及びスプリング（５ａ、５ｂ）と、該リング（４ａ、４ｂ）及び該スプリング（５ａ、５ｂ）を連動させ前記スチールボール（３ａ、３ｂ）の位置を規制するガイドスリーブ（６）と、該ガイドスリーブ（６）の抜け止めをするトメワ（７、９）及びワッシャ（８）を設けた。【選択図】  図１
2007130731.tif 000002
【特許請求の範囲】
【請求項１】
スピンドル先端に、先端工具を取付けし、ねじの締付け及び緩めを行う電動工具において、前記先端工具は複数の保持用溝位置を有し、前記スピンドルは前記保持用溝位置に対応する位置に前記先端工具と直交する段付縦穴を有し、該段付縦穴にスチールボールを配設すると共に、該スチールボールを前記保持用溝に当接させるリング及びスプリングと、該リング及び該スプリングを連動させ前記スチールボールの位置を規制するガイドスリーブと、該ガイドスリーブの抜け止めをするトメワ及びワッシャを設けたことを特徴とする電動工具。
【発明の詳細な説明】
【技術分野】
【０００１】
本発明は、締結工具に使用するドライバビット等の保持機構を有する電動工具に関するものである。
【背景技術】
【０００２】
ドライバビット１０、１１等を締結工具１に保持させる場合、スピンドル２先端に形成されたドライバビット挿入用六角穴２ｃにドライバビット１０、１１等を挿入し、スピンドル２の底部に突き当てた位置において、ドライバビット１０、１１等に形成された保持用溝１０ａ、１１ａに合せた位置に、２個のスチールボール３ａ、３ｂを配設し、スチールボール３ａ、３ｂとドライバビット１０、１１等の保持用溝１０ａ、１０ｂを係合させることで保持している。（特許文献１参照）
しかし、市場にあるドライバビット１０、１１等は、端面からの保持用溝１０ａ、１１ａの位置が異なる２種類のドライバビット１０、１１等があり、保持用溝１０ａ、１１ａの位置が異なると、スピンドル２に配設されたスチールボール３ａ、３ｂの位置が保持用溝１０ａ、１１ａの一方としか合わず、２種類のドライバビット１０、１１等を兼用し保持することができないため、締結工具専用のドライバビット１０、１１を使用しないと作業できないものであった。
【０００３】
【特許文献１】実開平６−３６７７６
【発明の開示】
【発明が解決しようとする課題】
【０００４】
従来の締結工具１においては、２種類のドライバビット１０、１１等を兼用し保持することができないため、締結工具１専用のドライバビット１０、１１等を使用する必要があった。
【０００５】
本発明の目的は従来の課題を解決し、専用のドライバビット１０、１１以外のドライバビット１０、１１も使用可能な締結工具１を提供することである。
【課題を解決するための手段】
【０００６】
上記目的は、スピンドル先端に、先端工具を取付けし、ねじの締付け及び緩めを行う電動工具において、前記先端工具は複数の保持用溝位置を有し、前記スピンドルは前記保持用溝位置に対応する位置に前記先端工具と直交する段付縦穴を有し、該段付縦穴にスチールボールを配設すると共に、該スチールボールを前記保持用溝に当接させるリング及びスプリングと、該リング及び該スプリングを連動させ前記スチールボールの位置を規制するガイドスリーブと、該ガイドスリーブの抜け止めをするトメワ及びワッシャを設けたことにより達成することができる。
【発明の効果】
【０００７】
本発明によれば、保持用溝位置が異なる２種類のドライバビットに合わせてスピンドルに形成した段付縦穴へスチールボールを各々配設した。このような保持機構により、保持用溝位置が異なるドライバビットを一台の締結工具にて保持できる。
【発明を実施するための最良の形態】
【０００８】
以下、本発明に係る実施形態を図１乃至図３を用いて説明する。
【０００９】
図１は本発明の実施例を示す締結工具の要部拡大図である。スピンドル２先端部に保持位置の異なるドライバビット１０、１１に対応したスピンドル２の段付縦穴２ａ，２ｂを設けた。そこに、スチールボール３ａ，３ｂを各々配設し、スチールボール３ａ、３ｂをスピンドル２のドライバビット挿入用六角穴２ｃに対し直交方向に動作規制するリング４ａ，４ｂを備えている。リング４ａ，４ｂはスチールボール３ａ，３ｂの規制位置Ｘ方向へスプリング５ａ，５ｂにより常に付勢されている。また、リング４ａ，４ｂの位置を規制するためのガイドスリーブ６と、ガイドスリーブ６のＸ方向への移動を規制しているトメワ（ａ）７，トメワ（ｂ）９，ワッシャ８が設けられている。ガイドスリーブ６の中央付近にはリング４ａ、４ｂの移動を規制する凸１２部が設けられている。
【００１０】
ガイドスリーブ６をＸ方向と反対側に押すことによりスチールボール３ａ、３ｂがドライバビット１０、１１と係合することはなくなり、ドライバビットの取付け、取外しができる。
【００１１】
図４は、保持用溝Ａ寸法のドライバビットを装着途中の状態を示す。この状態からさらにＸ方向と反対方向へドライバビット１１を挿入すると、装着が完了し図２の状態となる。
【００１２】
図２は、保持用溝１０ａの位置が端面からＡ寸法のドライバビット１０を保持した状態を示す。Ａ寸法のドライバビット１０を装着した際、リング４ａの内径部はスチールボール３ａを規制する。リング４ａの移動をスプリング５ａにより規制することでドライバビット１０に形成された保持用溝１０ａにスチールボール３ａが当接し、ドライバビット１０を保持することができる。この状態にて位置の異なるスチールボール３ｂは、ドライバビット１０を挿入する際、ガイドスリーブ６をＸ方向と反対方向へ押し付けることで、リング４ｂが連動して移動することにより、スピンドル２外周方向の規制が解除された状態となり、ドライバビット１０の六角形状外周により押し上げられた位置に固定される。
【００１３】
図３は、保持用溝１１ａの位置が端面からＢ寸法のドライバビット１１を保持した状態を示す。Ｂ寸法のドライバビット１１を装着した際、リング４ｂの内径部はスチールボール３ｂを規制する。リング４ｂの移動をスプリング５ｂにより規制することでドライバビットに形成された保持用溝１１ａにスチールボール３ｂが当接し、ドライバビット１１を保持することができる。この状態にて位置の異なるスチールボール３ａは、ドライバビット１１を挿入する際、ガイドスリーブ６をＸ方向と反対方向へ押し付けることで、リング４ａが連動して移動することにより、スピンドル２外周方向の規制が解除された状態となり、ドライバビット１１の六角形状外周により押し上げられた位置に固定される。
【図面の簡単な説明】
【００１４】
【図１】本発明の保持機構を備えた一実施例を示す締結工具の要部断面図。
【図２】保持用溝Ａ寸法のドライバビットを装着した先端部拡大図。
【図３】保持用溝Ｂ寸法のドライバビットを装着した先端部拡大図。
【図４】保持用溝Ａ寸法のドライバビットを装着途中の先端部拡大図。
【符号の説明】
【００１５】
１は締結工具，２はスピンドル，２ａ及び２ｂはスピンドルの段付縦穴，２ｃはドライバビット挿入用六角穴，３ａ及び３ｂはスチールボール，４ａ及び４ｂはリング，５ａ及び５ｂはスプリング，６はガイドスリーブ，７はトメワ（ａ），８はトメワ（ｂ），９はワッシャ，１０は保持用溝位置が端面からＡ寸法のドライバビット，１０ａはドライバビットのＡ寸法位置の保持用溝，１１は保持用溝位置が端面からＢ寸法のドライバビット，１１ａはドライバビットのＢ寸法位置の保持用溝である。
【図１】
2007130731.tif 000003
【図２】
2007130731.tif 000004
【図３】
2007130731.tif 000005
【図４】
2007130731.tif 000006